(57)【特許請求の範囲】
【請求項１】
表示スクリーンを有する電子機器のための制御装置であって、
前記電子機器の現在の機能設定状態を示す少なくとも一つ以上のアイコンと該アイコンを選択するためのカーソルがディスプレイされる表示部と、
前記表示部に前記電子機器の現在の機能設定状態を示す少なくとも一つ以上のアイコンと該アイコンを選択するためのカーソルをディスプレイさせる信号と、前記カーソルを移動させるための第１信号と、前記カーソルによって選択されたアイコンの該当機能と前記機能に該当するアイコンの表示を変更させるための第２信号を出力するスイッチと、
撮像中である映像を表示しながら、前記スイッチの操作により、前記表示部に現在の機能設定状態を示す少なくとも一つ以上のアイコンと該アイコンを選択するためのカーソルをディスプレイさせ、前記カーソルを移動させた後に、前記第２信号に応じて、カーソルによって選択されたアイコンによって表示される装置の機能状態を変更する制御部とを備え、
前記表示部には、機能がオンに設定されたアイコンのＯＳＤはオンされ、機能がオフに設定されたアイコンのＯＳＤはオフされディスプレイされることを特徴とする電子機器の制御装置。
【請求項２】
前記表示部には機能がオフに設定されたアイコンにカーソルが位置する間は前記アイコンのＯＳＤが点滅することがディスプレイされることを特徴とする請求項１に記載の電子機器の制御装置。
【請求項３】
前記表示部には前記アイコンに前記カーソルが位置すれば所定時間アイコンが表示するメニューのタイトルとオンオフセッティング状態がディスプレイされることを特徴とする請求項１に記載の電子機器の制御装置。
【請求項４】
前記表示部には既にディスプレイされていた映像と前記アイコンと前記カーソルのＯＳＤが重畳して表示されることを特徴とする請求項１に記載の電子機器の制御装置。
【請求項５】
前記スイッチは、回転させれば前記第１信号が出力され、プッシュすれば前記第２信号が出力されるダイアルボタンのように形成されることを特徴とする請求項１に記載の電子機器の制御装置。
【請求項６】
前記第１信号を出力する第１スイッチと、
前記第２信号を出力する第２スイッチとから構成されることを特徴とする請求項１に記載の電子機器の制御装置。
【請求項７】
前記スイッチは、前記電子機器に設けられることを特徴とする請求項１に記載の制御装置。
【請求項８】
前記スイッチは、前記電子機器に使用されるリモコンに形成されることを特徴とする請求項１に記載の電子機器の制御装置。
【請求項９】
前記制御部は、前記第２信号に応じて前記機能をオンとオフまたはオート状態に変更させることを特徴とする請求項１に記載の電子機器の制御装置。
【請求項１０】
ＯＳＤ装置を備えた電子機器の機能変更方法において、
撮像中である映像を表示しながら、電子機器の現在機能状態を示す少なくとも一つ以上のアイコンと、該アイコンを選択するためのカーソルを表示部に表示する段階と、
前記アイコンを選択するために前記表示部上で前記カーソルの位置を移動する段階と、
カーソルによって選択されたアイコンに対応する前記電子機器の機能と前記機能に該当するアイコンの表示をスイッチ操作によって変更する段階とを含み、
前記表示段階において機能がオンに設定されたアイコンのＯＳＤはオンで表示部に表示し、機能がオフに設定されたアイコンのＯＳＤはオフで表示することを特徴とするＯＳＤ装置を備えた電子機器の機能変更方法。
【請求項１１】
前記表示段階において機能がオフに設定されたアイコンにカーソルが位置する間は前記アイコンのＯＳＤが点滅されるよう表示することを特徴とする請求項１０に記載のＯＳＤ装置を備えた電子機器の機能変更方法。
【請求項１２】
前記表示段階において前記アイコンに前記カーソルが位置すれば所定時間アイコンが表示するメニューのタイトルとオンオフセッティング状態を表示することを特徴とする請求項１０に記載のＯＳＤ装置を備えた電子機器の機能変更方法。
【請求項１３】
前記表示段階において前記表示部に既にディスプレイされていた映像と前記アイコン及び前記カーソルのＯＳＤを重畳して表示することを特徴とする請求項１０に記載の電子機器の機能変更方法。
【請求項１４】
前記移動及び変更段階は、前記ダイアルボタンが回転されることにより前記移動段階が行なわれ、該ダイアルボタンがプッシュされることにより前記変更段階が行なわれることを特徴とする請求項１０に記載のＯＳＤ装置を備えた電子機器の機能変更方法。
【請求項１５】
前記移動及び変更段階は、前記第２信号に応じて設定機能の状態をオンとオフまたはオート状態に変更させることを特徴とする請求項１０に記載のＯＳＤ装置を備えた電子機器の機能変更方法。
【請求項１６】
前記移動及び変更段階は、前記電子機器に設けられたスイッチによって実行されることを特徴とする請求項１０に記載のＯＳＤ装置を備えた電子機器の機能変更方法。
【請求項１７】
前記移動及び変更段階は、前記電子機器に使用されるリモコンに形成されたスイッチによって実行されることを特徴とする請求項１０に記載のＯＳＤ装置を備えた電子機器の機能変更方法。
【請求項１８】
前記スイッチング段階は、前記第２信号に応じて前記機能をオンとオフまたはオート状態に変更させることを特徴とする請求項１０に記載のＯＳＤ装置を備えた電子機器の機能変更方法。
【請求項１９】
電子機器の現在の機能設定状態を示す少なくとも一つ以上のアイコンと該アイコンを選択するためのカーソルがディスプレイされる表示部を有する電子機器の制御装置であって、
前記表示部に一つ以上のアイコンと前記カーソルを表示させる信号と、前記カーソルを移動させるための第１信号と、前記カーソルによって選択されたアイコンに対応する機能と前記機能に該当するアイコンの表示を変更させる第２信号を出力するスイッチと、
撮像中である映像を表示しながら、前記スイッチの操作に応じて、前記一つ以上のアイコンと前記カーソルを前記表示部に表示させ、前記第２信号に応じて、前記カーソルによって選択されたアイコンに対応する機能を変更させる制御部とを備え、
前記表示部には、機能がオンに設定されたアイコンのＯＳＤはオンされ、機能がオフに設定されたアイコンのＯＳＤはオフされディスプレイされることを特徴とする電子機器の制御装置。
【請求項２０】
前記制御部は、前記表示部に既にディスプレイされていた映像と前記アイコン及び前記カーソルのＯＳＤを重畳して表示することを特徴とする請求項１９に記載の電子機器の制御装置。
【請求項２１】
前記スイッチは、回転させることにより前記第１信号が出力され、プッシュすることにより前記第２信号が出力されるダイアルボタンから構成されたことを特徴とする請求項１９に記載の制御装置。
【請求項２２】
前記スイッチは、前記第１信号に応じて前記カーソルを前記アイコン上で順次に移動させることを特徴とする請求項１９記載の電子機器の制御装置。
【請求項２３】
前記制御部は、一つ以上のアイコンとカーソルとをディスプレイすることを特徴とする請求項１９記載の電子機器の制御装置。
【請求項２４】
電子機器の現在の機能設定状態を示す少なくとも一つ以上のアイコンと該アイコンを選択するためのカーソルがディスプレイされる表示部を有する電子機器のための制御装置であって、
前記カーソルを移動させるための第１信号と、前記カーソルによって選択されたアイコンに対応する機能と前記機能に該当するアイコンの表示を変更するための第２信号を出力するスイッチと、
撮像中である映像を表示しながら、前記スイッチの出力に応じて前記カーソルによって選択されたアイコンに対応する機能を変更させる制御部とを備え、
前記表示部には、機能がオンに設定されたアイコンのＯＳＤはオンされ、機能がオフに設定されたアイコンのＯＳＤはオフされディスプレイされることを特徴とする電子機器の制御装置。
【請求項２５】
前記制御部は、前記表示部に、既に表示されている映像と前記アイコンと前記カーソルのＯＳＤが重畳して表示されることを特徴とする請求項２４に記載の電子機器の制御装置。
【請求項２６】
前記アイコンセットは、回転されることによって前記第１信号が出力され、プッシュすることによって前記第２信号が出力されるダイアルボタンから構成されたことを特徴とする請求項２４に記載の電子機器の制御装置。
【請求項２７】
前記制御部は、前記第２信号に応じて選択されたアイコンに対応する機能の状態を変更することを特徴とする請求項２４記載の電子機器の制御装置。
【請求項２８】
前記制御部は、前記第２信号に応じてアイコンに対応する機能の状態をオンとオフまたはオート状態に変更させることを特徴とする請求項２７に記載の電子機器の制御装置。
【請求項２９】
前記制御部は、前記第２信号に応じて機能を変更することを特徴とする請求項２７記載の電子機器の制御装置。
【請求項３０】
前記スイッチは、ダイアルボタンから構成され、
該ダイアルボタンが回転されたときに前記第１信号を出力し、該ダイアルボタンがプッシュされたときに前記第２信号を出力することを特徴とする請求項２４に記載の電子機器の制御装置。
【請求項３１】
前記制御部は、前記第２信号に応じて選択されたアイコンに対応する機能の状態を変更することを特徴とする請求項３０記載の電子機器の制御装置。
【請求項３２】
前記制御部は、前記第２信号に応じて機能の状態をオンとオフまたはオート状態に変更させることを特徴とする請求項３１に記載の電子機器の制御装置。
【請求項３３】
前記制御部は、前記第２信号に応じて機能を変更することを特徴とする請求項３１記載の電子機器の制御装置。
【請求項３４】
前記制御部は、前記スイッチからの前記第１信号に応じて前記カーソルを前記アイコン上で順次に移動させることを特徴とする請求項２４記載の電子機器の制御装置。
【請求項３５】
前記制御部は、少なくとも一つ以上のアイコンとカーソルとをディスプレイすることを特徴とする請求項２４記載の電子機器の制御装置。
【請求項３６】
電子機器の機能の切り替えに応じてアイコンに対応する機能と前記機能に該当するアイコンの形状を変更する電子機器の制御方法であって、
撮像中である映像を表示しながら、一つ以上のアイコンと、該アイコンを選択するためのカーソルを表示部に表示する段階と、
前記カーソルの位置を移動する段階と、
前記カーソルの移動により前記アイコンを選択する選択段階とを含み、
前記表示部には、機能がオンに設定されたアイコンのＯＳＤはオンされ、機能がオフに設定されたアイコンのＯＳＤはオフされディスプレイされることを特徴とする電子機器の制御方法。
【請求項３７】
前記表示段階は、前記表示部に既にディスプレイされていた映像と前記アイコンと前記カーソルのＯＳＤが重畳して表示されることを特徴とする請求項３６に記載の電子機器の制御方法。
【請求項３８】
前記移動及び選択段階は、ダイアルボタンを回転させることにより前記カーソルを移動させ、該ダイアルボタンをプッシュすることによりアイコンを選択することを特徴とする請求項３６に記載の電子機器の制御方法。
【請求項３９】
アイコンに対応する機能と前記機能に該当するアイコンの形状を変更する電子機器の制御方法であって、
撮像中である映像を表示しながら、少なくとも一つ以上のアイコンと、該アイコンを選択するためのカーソルを表示部に表示する段階と、
前記カーソルの位置を移動する段階と、
前記カーソルの移動に応じて前記アイコンを変更する変更段階とを含み、
前記表示部には、前記機能がオンに設定されたアイコンのＯＳＤはオンされ、前記機能がオフに設定されたアイコンのＯＳＤはオフされディスプレイされることを特徴とする電子機器の制御方法。
【請求項４０】
前記表示段階は、前記表示部に既にディスプレイされていた映像と前記アイコンと前記カーソルのＯＳＤが重畳して表示されることを特徴とする請求項３９に記載の電子機器の制御方法。
【請求項４１】
前記移動及び変更段階は、ダイアルボタンを回転させることにより前記カーソルを移動させ、該ダイアルボタンをプッシュすることによりアイコンを変更させることを特徴とする請求項３９に記載の電子機器の制御方法。
【請求項４２】
前記変更段階は、前記アイコンに対応する機能をオンとオフまたはオート状態に変更させることを特徴とする請求項４０に記載の電子機器の制御方法。
【請求項４３】
コンピュータに、
撮像中である映像を表示しながら、電子機器の現在機能状態を示す少なくとも一つ以上のアイコンと、該アイコンを選択するためのカーソルを表示部に表示させる手順と、
第１の操作に応じて前記カーソルの位置を移動させる手順と、
前記カーソルの位置に応じて前記アイコンを選択する手順と、
第２の操作に応じて前記カーソルにより選択されているアイコンに対応する機能と前記機能に該当するアイコンの表示を、機能がオンに設定されたアイコンのＯＳＤをオンされ、機能がオフに設定されたアイコンのＯＳＤをオフするように変更する手順とを実行させる電子機器の制御プログラム。
【請求項４４】
コンピュータに、
撮像中である映像を表示しながら、電子機器の現在機能状態を示す少なくとも一つ以上のアイコンと、該アイコンを選択するためのカーソルを表示部に表示させる手順と、
第１の操作に応じて前記カーソルの位置を移動させる手順と、
前記カーソルの位置に応じて前記アイコンを変更する手順と、
第２の操作に応じて前記カーソルにより選択されているアイコンに対応する機能と前記機能に該当するアイコンの表示を、前記機能がオンに設定されたアイコンのＯＳＤをオンされ、前記機能がオフに設定されたアイコンのＯＳＤをオフするように変更する手順とを実行させる電子機器の制御プログラム。
【請求項４５】
複数の機能を持つ電子機器の制御装置であって、
アイコンに対応する機能と前記機能に該当するアイコンの表示を変更する前記複数の機能に応じたアイコンを表示する表示部と、
前記表示部に既にディスプレイされていた映像と前記アイコンと前記カーソルのＯＳＤを重畳して表示するとともに、前記スイッチの操作により、前記表示部に前記電子機器の現在機能状態を示す少なくとも一つ以上のアイコンと該アイコンを選択するためのカーソルをディスプレイさせ、前記カーソルを移動させた後に、前記カーソルによって選択されたアイコンに対応する機能と前記機能に該当するアイコンの表示を、前記機能がオンに設定されたアイコンのＯＳＤをオンされ、前記機能がオフに設定されたアイコンのＯＳＤをオフするように変更する制御部とを有することを特徴とする電子機器の制御装置。
【請求項４６】
前記カーソルを順次に移動させる第１の信号を出力するとともに、前記アイコンに対応する機能と前記機能に該当するアイコンの表示を変更する第２信号を出力するスイッチを有することを特徴とする請求項４５記載の電子機器の制御装置。
【発明の詳細な説明】
【０００１】
【発明の属する技術分野】
本発明はビデオカムコーダまたはテレビのような電子機器の機能変更装置及び方法に係り、さらに詳しくは電子機器の機能を変更したり制御状態及び動作状態を調整するためにオンスクリーンディスプレイ(On Screen Display;以下ＯＳＤと称する)で表示される機能を示すアイコンを簡単なキー操作によって機能を変更できるようにするＯＳＤ装置を備えた電子機器の機能変更装置及び方法に関する。
【０００２】
【従来の技術】
一般に、各種電子機器を動作させる場合機器の機能を選択し、動作状態及び制御状態をユーザが確認して調整する必要がある。従って、従来はこのような電子機器の制御のために操作パネルを備え、機能に応ずるキー入力部を設けてキー入力部の操作を通してユーザが命令を入力することができるようにし、ディスプレイ窓を設けて動作状態と制御状態を外部から確認できるようにした。
【０００３】
近来の電子製品はそのサイズが次第に小型化し、デザインが一層強調される傾向に伴ってボタン数の最小化が求められている。特に、多機能を有している電子機器はその操作のために機能に該当するボタンを必要とされるが、全ての機能に対するオンオフないし機能変更のためのボタンを機器に設ける場合複雑でデザインの制約が多く、コストアップの要因になる問題点があった。このような問題点を補うためにＯＳＤ機能を備えてスクリーンにディスプレイされるＯＳＤメニューを用いてその役割に代えられている。
【０００４】
図１は従来のＯＳＤメニューを用いた機能変更方法の動作順序を示した流れ図であり、図２は従来のＯＳＤメニューを用いた機能変更方法によるメニューモードをディスプレイした表示部を示した図である。示した通り、電子機器の機能変更のためには、まず操作パネルを操作してメニューモードをオンさせる(Ｓ１０)。メニューモードがオンされればメニューのうち一番目ディレクトリに該当メニューリストがディスプレイされる(Ｓ１１)。メニューリストにディスプレイされた機能の細部機能を変更するためにはメニューリストのうち変更しようとする機能を含む上位メニューにカーソル３１を移動させキー入力部を操作して該当メニューを選択する(Ｓ１２)。Ｓ１２段階を行なえばカーソル３１が位置したメニューの下位メニューリストがディスプレイされ、該メニューリストのうち変更したい機能にカーソルを移動させた後選択キーを操作してオンオフを変更する(Ｓ１３、Ｓ１４、Ｓ１５)。
【０００５】
図２は前述したような方法が行なわれた従来のＯＳＤがディスプレイされた表示部を示す図であって、図示した通りメニューモードで下位メニューに移動した後カーソル３１を該当機能を示すメニューに移動させてからキー入力部を操作してオンオフを変更して機能が変る。
【０００６】
一方、前述したような方法によって機能を設定した後電子機器の使用中一種の機能のオンオフを変更しようとする場合、前述した段階を再び行なうべきである。このようにメニューモードに戻って複雑な設定過程を経ず機器の使用中直接に所望の機能のオンオフを変更するためには、図３に示した通り機能変更のためのキー入力部１０を機器の外部に別設すべきである。
【０００７】
また、受信された映像を示すＴＶのスクリーンや、撮像された映像を示すカムコーダの画面にＯＳＤメニューを用いて機能を変更する時は、視聴していた放送画面や撮像中であった映像の代りにＯＳＤメニューをディスプレイさせメニューモードで変更しようとする機能を示す下位メニューに移動して機能を変更する複雑な手続を行なうべきである。
【０００８】
従って、撮影中や視聴中に機能のオンオフのような簡単な機能変更のためには、前述したような複雑な手続きを行なわなければならない問題点がある。また、撮影や視聴中に機能を変更するためにメニュー画面を呼び出せば、撮影しようとする画面の殆んどが遮られるのでユーザは不便を感じる。
【０００９】
そして、多機能を有する電子機器の場合、ＯＳＤを用いてメニューモードで機能を選択する時は複雑な方法によって機器の機能を選択し操作しなければならない問題点があり、操作の便宜のために機能選択のためのボタンを機器の外部に別設する場合はキー入力部が複雑になり、デザインの制約が多く、コストアップの要因になる問題点があった。
【００１０】
【発明が解決しようとする課題】
本発明は前述したような問題点を解決するために案出されたもので、その目的はＯＳＤ装置を備えた電子機器の機能変更時メニューモードで変更せず、表示部にディスプレイされる本来の映像を見ながら簡単な方法で機能を変更できるＯＳＤ装置を備えた電子機器の機能変更装置を提供するところにある。
【００１１】
本発明の他の目的はＯＳＤを用いて簡単な操作で電子機器の機能を変更させうるＯＳＤ装置を備えた電子機器の機能変更方法を提供するところにある。
【００１２】
【課題を解決するための手段】
前述した目的を達成するための本発明に係る表示スクリーンを有する電子機器のための制御装置は、前記電子機器の現在の機能設定状態を示す少なくとも一つ以上のアイコンと該アイコンを選択するためのカーソルがディスプレイされる表示部と、前記表示部に前記電子機器の現在の機能設定状態を示す少なくとも一つ以上のアイコンと該アイコンを選択するためのカーソルをディスプレイさせる信号と、前記カーソルを移動させるための第１信号と、前記カーソルによって選択されたアイコンの該当機能と前記機能に該当するアイコンの表示を変更させるための第２信号を出力するスイッチと、撮像中である映像を表示しながら、前記スイッチの操作により、前記表示部に現在の機能設定状態を示す少なくとも一つ以上のアイコンと該アイコンを選択するためのカーソルをディスプレイさせ、前記カーソルを移動させた後に、前記第２信号に応じて、カーソルによって選択されたアイコンによって表示される装置の機能状態を変更する制御部とを備え、表示部には、機能がオンに設定されたアイコンのＯＳＤはオンされ、機能がオフに設定されたアイコンのＯＳＤはオフされディスプレイされることを特徴とする。
【００１３】
望ましくは、表示部には機能がオンに設定されたアイコンのＯＳＤはオンされ、機能がオフに設定されたアイコンのＯＳＤはオフされディスプレイされ、機能がオフに設定されたアイコンにカーソルが位置する間はアイコンのＯＳＤは点滅してディスプレイされる。そして、前記アイコンに前記カーソルが位置すれば所定時間アイコンが表示するメニューのタイトルとオンオフセッティング状態がディスプレイされる。また、前記表示部には既にディスプレイされていた映像と前記アイコンと前記カーソルのＯＳＤが重畳して表示される。
【００１４】
前記スイッチは回転させれば前記第１信号が出力され、プッシュすれば前記第２信号が出力されるダイアルボタンのように形成されるのが望ましい。そして、前記スイッチは第１信号を出力する第１スイッチと第２信号を出力する第２スイッチを含むことが望ましい。
【００１５】
前記スイッチは前記電子機器に設けたり、電子機器に用いられるリモコンに形成することが望ましい。
【００１６】
そして、前記制御部は前記第２信号に応じて前記機能をオンとオフまたはオート状態に変更させることが望ましい。
【００１７】
一方、本発明のＯＳＤ装置を備えた電子機器の機能変更方法は、撮像中である映像を表示しながら、電子機器の現在機能状態を示す少なくとも一つ以上のアイコンと、該アイコンを選択するためのカーソルを表示部に表示する段階と、前記アイコンを選択するために前記表示部上で前記カーソルの位置を移動する段階と、カーソルによって選択されたアイコンに対応する前記電子機器の機能と前記機能に該当するアイコンの表示をスイッチ操作によって変更する段階とを含み、表示段階において機能がオンに設定されたアイコンのＯＳＤはオンで表示部に表示し、機能がオフに設定されたアイコンのＯＳＤはオフで表示することを特徴とする。
【００１８】
前記表示段階において機能がオフに設定されたアイコンにカーソルが位置する間には前記アイコンのＯＳＤが点滅されるよう表示し、前記アイコンに前記カーソルが位置すれば所定時間中アイコンが表示するメニューのタイトルとオンオフセッティング状態を表示し、前記表示部に既にディスプレイされていた映像と前記アイコン及び前記カーソルのＯＳＤを重畳して表示することが望ましい。
【００１９】
前記移動及び変更段階はダイアルボタンによって行なわれ、前記ダイアルボタンが回転されれば移動段階が行なわれ、前記ダイアルボタンがプッシュされれば前記変更段階が行なわれることが望ましい。
【００２０】
【発明の実施の形態】
以下、添付した図面に基づき本発明をさらに詳述する。
【００２１】
図４に示した通り、本発明は電子機器の機能を選択したり動作などを調節するために電子機器に設けられる操作パネル(図示せず)を構成するキー入力部１０と、キー入力部１０に含まれる第１スイッチ１１、第２スイッチ１１'、機能や状態などを示すＯＳＤがディスプレイされる表示部３０、それからこれらを制御する制御部２０を備えて構成される。外部から電子機器に命令を入力するためのリモコン５０が備えられた場合、第１スイッチ１１と第２スイッチ１１'のような信号を出力する第１ボタン５１、第２ボタン５１'をリモコン５０に設けることができる。符号５２はリモコンに設けられた表示窓を示し、６０はリモコン５０と制御部２０との間で信号を伝える送受信部を示す。
【００２２】
ユーザの操作に応じてカーソルを移動させる信号を出力する第１スイッチ１１と機能のオンオフ設定状態を変更させる信号を出力する第２スイッチ１１'は電子機器の操作パネルを構成するキー入力部１０に設けられる。カーソルを移動させる信号を出力する第１スイッチ１１と機能設定信号を出力する第２スイッチ１１'はそれぞれ別設したり、ダイアルボタンを設けてダイアルボタンを回転させれば第１スイッチ１１の信号が出力され、ダイアルボタンをプッシュすれば第２スイッチ１１'の信号が出力されるようにすることもできる。
【００２３】
電子機器の機能や動作状態を示す表示部３０は操作パネル(図示せず)に設けられるＬＣＤで構成されうる。また、表示部３０はＴＶの場合複合映像信号がディスプレイされるスクリーンで構成されうる。そして、カムコーダの場合、撮像される映像をディスプレイする画面で構成することができる。表示部３０は複数の機能及び状態を示す一つ以上のアイコン３２と信号に応じて画面上を移動するカーソル３１、日付、状態などを表示するテキストなどを画面上にディスプレイする。
【００２４】
キー入力部１０と表示部３０は制御部２０に連結される。制御部２０はキー入力部１０から入力される信号に応じて電子機器の機能を制御し、該当ＯＳＤ信号を表示部３０に印加する。遠隔制御装置であるリモコン５０を備える電子機器の場合リモコン５０に備えられた第１ボタン５１と第２ボタン５１'を用いて遠隔で電子機器に前記カーソル移動信号や機能選択信号を入力できるようになる。また、リモコン５０に表示窓５２を備えれば操作者が遠隔で第１ボタン５１、第２ボタン５１'の操作に応じて変更される機能を確認できるようになる。
【００２５】
図６は本発明に係る表示部３０の画面上にＯＳＤが表示された状態を示した図であって、示した通り、設定に応じてアイコン３２ａ乃至３２ｅ、カーソル３１、及び日付・時間３３などがディスプレイされる。アイコン３２ａ乃至３２ｅはメニューに応じてそれぞれ違う形に設定され、符号３２ｂのような文字で示したり３２ａ、３２ｃ、３２ｄ、３２ｅのような記号で示すことができる。また各アイコン３２は表示部３０の画面上にメニュー別に設定された位置があって機能のオンオフ選択に応じて該当位置でアイコンがオンオフされる。カーソル３１は初期化時一定位置でオン(ON)され、第１スイッチ１１の操作によって位置が変る。ここで、オフ(OFF)は機能に応じて電子機器の制御部によって自動で動作されるオート(AUTO)と表現できる。
【００２６】
次いで、このように構成された本発明に係る電子機器の機能変更方法の作用を図５に基づき具体的に説明する。まず、ユーザがキー入力部１０を操作してキー信号が入力される場合は表示部３０がオンされる。表示部３０がオンされれば、メニュー別に設定されている値によってＯＳＤがオンされ該当するアイコン３２とカーソル３１及び日付・時間などが表示部３０にディスプレイされる(Ｓ１００、Ｓ１１０、Ｓ１２０)。第１スイッチ１１が操作されカーソルを移動させる信号が入力されれば、制御部２０は入力信号に応じてカーソル３１を移動させる(Ｓ２００、Ｓ２１０)。カーソル３１が位置すればオンに設定されていたアイコンは逆相に表示され、オフに設定されＯＳＤがオフされていたアイコンは点滅するか薄色で表示される。またアイコンが表示するメニューのタイトルをチップボックス(Tip-box)３４形式で表わす(Ｓ２２０)。メニューのタイトルと共にオンオフ設定状態が表示される。特定アイコン３２にカーソル３１が位置する間選択信号が入力されれば(Ｓ３００)、カーソル３１の位置するアイコン３２の機能がオンオフ変更される(Ｓ３１０)。
【００２７】
図６及び図７Ａ、図７Ｂは本発明の一実施形態によるカムコーダの画面上にＯＳＤがディスプレイされた状態を示す図であって、これに基づき具体的に説明する。
【００２８】
カムコーダを用いて撮影する場合、撮像する映像が画面上にディスプレイされユーザはこの画面を確認しながら所望の場面を撮影する。本発明が適用されたカムコーダの場合機能設定状態を示すアイコンとカーソルを前記画面上にディスプレイすることができる。前記アイコンとカーソルは撮像中の映像を遮らないよう画面の縁部に配置することができる。図６の符号３２ａは色感選択、３２ｂは特殊効果(DSE)、３２ｃは手振れ補正(EIS)、３２ｄは風の音除去を示すアイコンであって、図６に示した通り前記機能がオンに設定された状態を示す。初期化時はカーソル３１が一側に位置するようになり、日付及び時間を設定しておいた場合、該当日付と時間が符号３３のようにディスプレイされる。
【００２９】
撮像中に色感選択をオートに変更するためにはメニューモードでＯＳＤを変更せず、撮像中の映像を確認しつつ簡単に第１スイッチ１１を操作してカーソルを色感選択アイコン３２ａに移動させ、第２スイッチ１１'を操作して機能をオートに変更させうる。すなわち、図７Ａ及び図７Ｂは色感選択をオンからオートに変更する過程を示す図であって、示した通りユーザが第１スイッチ１１を操作すればカーソル移動信号が制御部２０に入力される。制御部２０はカーソル３１の位置を図７Ａのように移動させる。カーソル３１が位置すれば色感選択アイコン３２ａは逆相で表示され、色感選択アイコン３２ａに該当するメニュータイトルである“色感選択”と機能設定状況“オン”がチップボックス３４形態で表示される。
【００３０】
カーソル３１が“色感選択”アイコン３２に位置する状態で第２スイッチ１１'を操作して機能変更信号を制御部２０に入力すれば“色感選択”メニューはオン(ON)からオート(AUTO)にその設定状態が変更され、画面上にもオートを示すオートアイコン３５に変更され現れる。また、チップボックス３４にも“オン”表示が“オート”に変更されディスプレイされる。
【００３１】
このように本発明は電子機器の本来の映像をディスプレイしつつ電子機器の機能設定状態をアイコン３２でディスプレイし、機能変更時機能を示すアイコンでカーソル３１を移動させた後簡単な操作で機能のオンオフを変更させる。
【００３２】
一方、アイコンによって本来の映像(撮像中の映像や放送される映像)が遮られることを最小化するため、アイコンは画面の外郭部に配置する。
【００３３】
【発明の効果】
以上述べた通り、本発明によればＯＳＤを備えた電子機器の機能設定変更時ＯＳＤのメニューモードに入って該当ディレクトリを探して機能を変更する複雑な過程を繰り返さず、各機能の状態をアイコンで本来ディスプレイされた画面と共に初期画面にディスプレイし変更しようとするメニューのアイコンとカーソルを用いて簡単な方法で機能設定を変更することができる。
【００３４】
以上本発明の望ましい実施例について示しかつ説明したが、本発明は前述した特定の望ましい実施例に限らず、請求の範囲で請求する本発明の要旨を逸脱せず当該発明の属する技術分野において通常の知識を有する者なら何人も多様な変形実施が可能なことは勿論、そのような変更は記載された請求の範囲内にある。
【図面の簡単な説明】
【図１】従来のＯＳＤメニューを用いた機能変更方法の動作順序を示したフローチャートである。
【図２】従来のＯＳＤメニューモードをディスプレイした表示画面を示した概略図である。
【図３】従来の電子機器の機能選択用キー入力部を示した概略図である。
【図４】本発明に係る電子機器の機能変更装置を概略的に示したブロック図である。
【図５】本発明に係る電子機器の機能変更方法を示したフローチャートである。
【図６】本発明に係る電子機器の機能変更装置の表示画面の一実施形態を示した概略図である。
【図７Ａ】本発明に係る電子機器の機能変更装置の表示画面の一実施形態を示した概略図である。
【図７Ｂ】本発明に係る電子機器の機能変更装置の表示画面の一実施形態を示した概略図である。
【符号の説明】
１０    キー入力部
１１、１１’  第１及び第２スイッチ
２０    制御部
３０    表示部
３１    カーソル
３２ａ〜３２ｅ  アイコン
５０    リモコン
５１、５１’  第１及び第２ボタン
５２    表示窓
６０    送受信部
【図１】
0004412888.tif 000002
【図２】
0004412888.tif 000003
【図３】
0004412888.tif 000004
【図４】
0004412888.tif 000005
【図５】
0004412888.tif 000006
【図６】
0004412888.tif 000007
【図７Ａ】
0004412888.tif 000008
【図７Ｂ】
0004412888.tif 000009